(57)【特許請求の範囲】
【請求項１】
内部に媒体を収納する収納空間を有し、外部から前記収納空間にアクセスするための開口部が形成された筐体と、
前記開口部を開放又は閉鎖する扉と、
前記開口部の開放を規制する錠部と、
前記扉における前記収納空間側の側面において前記収納空間側へ突出するよう形成され、前記錠部が施錠状態のときに前記扉の一部が前記筐体から離隔した際、少なくとも前記扉と前記筐体との隙間における前記外部と前記収納空間との間の直線上に位置する不正行為検知部と
を有する媒体収納装置。
【請求項２】
内部に媒体を収納する収納空間を有し、外部から前記収納空間にアクセスするための開口部が形成された筐体と、
吊元部を支点として該吊元部とは逆側の戸先部が前記開口部に離接するよう回動し、前記開口部を開放又は閉鎖する扉と、
前記戸先部側における、前記吊元部から前記戸先部へ向かう吊元戸先方向に直交する吊元戸先直交方向の一端側である錠配置部側に設けられ、前記開口部の開放を規制する錠部と、
前記扉の前記収納空間側の側面の前記戸先部側における、前記吊元戸先直交方向において前記錠配置部側とは逆側の錠非配置部側に設けられ、前記錠部が施錠状態のときに前記扉の一部が前記筐体から離隔した際、少なくとも前記扉と前記筐体との隙間における前記外部と前記収納空間との間の直線上に位置する不正行為検知部と
を有する媒体収納装置。
【請求項３】
内部に媒体を収納する収納空間を有し、外部から前記収納空間にアクセスするための開口部が形成された筐体と、
前記開口部を開放又は閉鎖する扉と、
前記開口部の開放を規制する錠部と、
集積された前記媒体の位置をガイドする媒体位置ガイドと、
前記扉における前記収納空間側の側面に形成され、切込により長手方向に複数の板片に分割され、前記媒体位置ガイドと干渉する前記板片が取り除かれており、前記錠部が施錠状態のときに前記扉の一部が前記筐体から離隔した際、少なくとも前記扉と前記筐体との隙間における前記外部と前記収納空間との間の直線上に位置する不正行為検知部と
を有する媒体収納装置。
【請求項４】
前記収納空間内を移動可能に設けられ、前記媒体を集積するステージをさらに有し、
前記不正行為検知部は、前記ステージの移動領域外に配置される
請求項１に記載の媒体収納装置。
【請求項５】
前記扉は、吊元部を支点として該吊元部とは逆側の戸先部が前記開口部に離接するよう回動し、
前記錠部は、前記戸先部側における、前記吊元部から前記戸先部へ向かう吊元戸先方向に直交する吊元戸先直交方向の一端側である錠配置部側に設けられ、
前記不正行為検知部は、前記戸先部側における、前記吊元戸先直交方向において前記錠配置部側とは逆側の錠非配置部側に設けられる
請求項１に記載の媒体収納装置。
【請求項６】
前記扉は、吊元部を支点として該吊元部とは逆側の戸先部が前記開口部に離接するよう回動し、
前記錠部は、前記戸先部側における、前記吊元部から前記戸先部へ向かう吊元戸先方向に直交する吊元戸先直交方向の一端側である錠配置部側に設けられ、
前記不正行為検知部は、前記施錠状態において前記扉の一部が前記筐体から離隔した際に、前記扉における前記錠配置部側とは逆側の錠非配置部側と前記筐体との隙間に位置し前記吊元戸先方向に延在する第１壁と、前記扉における前記戸先部側と前記筐体との隙間に位置し前記吊元戸先直交方向に延在する第２壁と
を有する請求項１、請求項２又は請求項５の何れか１つに記載の媒体収納装置。
【請求項７】
前記不正行為検知部は、前記第１壁に切り欠きが形成されている
請求項６に記載の媒体収納装置。
【請求項８】
前記不正行為検知部は、前記第１壁の一部分に肉薄な薄肉部が形成されている
請求項６に記載の媒体収納装置。
【請求項９】
集積された前記媒体の位置をガイドする媒体位置ガイドをさらに有し、
前記不正行為検知部は、切込により長手方向に複数の板片に分割され、前記媒体位置ガイドと干渉する前記板片が取り除かれる
請求項１に記載の媒体収納装置。
【請求項１０】
前記不正行為検知部は、塑性変形可能な材質である
請求項１に記載の媒体収納装置。
【請求項１１】
集積された前記媒体の位置をガイドする媒体位置ガイドをさらに有し、
前記不正行為検知部は、前記媒体位置ガイドと干渉しないよう配置される
請求項１に記載の媒体収納装置。
【請求項１２】
前記不正行為検知部は、前記扉と一体成形される
請求項１に記載の媒体収納装置。
【請求項１３】
紙葉状の媒体に関する操作を受け付ける操作部と、
内部に前記媒体を収納する収納空間を有し、外部から前記収納空間にアクセスするための開口部が形成された筐体と、
前記開口部を開放又は閉鎖する扉と、
前記開口部の開放を規制する錠部と、
前記扉における前記収納空間側の側面において前記収納空間側へ突出するよう形成され、前記錠部が施錠状態のときに前記扉の一部が前記筐体から離隔した際、少なくとも前記扉と前記筐体との隙間における前記外部と前記収納空間との間の直線上に位置する不正行為検知部と
を有する媒体処理装置。
【発明の詳細な説明】
【技術分野】
【０００１】
本発明は、媒体収納装置及び媒体処理装置に関し、例えば紙幣を投入して所望の取引を行う紙幣処理装置等に適用して好適なものである。
【背景技術】
【０００２】
従来、金融機関等で使用される紙幣処理装置においては、顧客との取引内容に応じて、例えば顧客に紙幣や硬貨等の現金を入金させ、また顧客へ現金を出金する。紙幣処理装置としては、例えば顧客との間で紙幣の授受を行う紙幣入出金口と、投入された紙幣の金種及び真偽を鑑別する鑑別部と、投入された紙幣を一時的に保留する一時保留部と、金種毎に紙幣を格納する紙幣収納庫とを有するものがある。
【０００３】
紙幣収納庫は、内部に収納している紙幣がなくなると、例えば警備会社等の外部業者により紙幣処理装置から取り外され回収されて運搬され、紙幣を装填されて再び該紙幣処理装置に装着される。このような従来の紙幣収納庫は、紙幣の装填用の開口部を閉鎖する扉を鍵で施錠する施錠部を設け、紙幣を装填された後に扉を施錠状態とした上で再び紙幣処理装置に装填されるものがある（例えば、特許文献１参照）。
【先行技術文献】
【特許文献】
【０００４】
【特許文献１】特許第２８６４４８３号
【発明の概要】
【発明が解決しようとする課題】
【０００５】
このような紙幣収納庫においては、施錠状態の紙幣収納庫からの紙幣の不正な抜き取りを防止することが望まれている。
【０００６】
本発明は以上の点を考慮してなされたもので、媒体の不正な抜き取りを防止し得る媒体収納装置及び媒体処理装置を提案しようとするものである。
【課題を解決するための手段】
【０００７】
かかる課題を解決するため本発明の媒体収納装置においては、内部に媒体を収納する収納空間を有し、外部から収納空間にアクセスするための開口部が形成された筐体と、開口部を開放又は閉鎖する扉と、開口部の開放を規制する錠部と、扉における収納空間側の側面において収納空間側へ突出するよう形成され、錠部が施錠状態のときに扉の一部が筐体から離隔した際、少なくとも扉と筐体との隙間における外部と収納空間との間の直線上に位置する不正行為検知部とを設けるようにした。
【０００８】
また本発明の媒体処理装置においては、紙葉状の媒体に関する操作を受け付ける操作部と、内部に媒体を収納する収納空間を有し、外部から収納空間にアクセスするための開口部が形成された筐体と、開口部を開放又は閉鎖する扉と、開口部の開放を規制する錠部と、扉における収納空間側の側面において収納空間側へ突出するよう形成され、錠部が施錠状態のときに扉の一部が筐体から離隔した際、少なくとも扉と筐体との隙間における外部と収納空間との間の直線上に位置する不正行為検知部と設けるようにした。
【０００９】
本発明では、施錠状態において扉がこじ開けられた際に、不正行為検知部が変形するまでは収納空間に収納された媒体に外部からアクセスされることを防ぎ、該不正行為検知部が変形した場合は不正行為が行われた痕跡を残すことができるため、不正行為を抑止できる。
【発明の効果】
【００１０】
本発明によれば、施錠状態において扉がこじ開けられた際に、不正行為検知部が変形するまでは収納空間に収納された媒体に外部からアクセスされることを防ぎ、該不正行為検知部が変形した場合は不正行為が行われた痕跡を残すことができるため、不正行為を抑止できる。かくして本発明は、媒体の不正な抜き取りを防止し得る媒体収納装置及び媒体処理装置を実現できる。
【図面の簡単な説明】
【００１１】
【図１】紙幣処理装置の外観構成を示す斜視図である。
【図２】紙幣処理装置の内部構成を示す右側面図である。
【図３】閉鎖状態の紙幣収納庫の構成を示し、（Ａ）は正面図、（Ｂ）は右側面図、（Ｃ）は底面図である。
【図４】開放状態の紙幣収納庫の構成を示す正面図である。
【図５】第１の実施の形態による紙幣収納庫の構成を示し、（Ａ）は平面図、（Ｂ）は右側面図である。
【図６】第１の実施の形態による不正行為検知部の構成を示し、（Ａ）は平面図、（Ｂ）は右側面図である。
【図７】不正行為発生時の紙幣収納庫の構成を示し、（Ａ）は底面図、（Ｂ）は左側面図である。
【図８】第２の実施の形態による紙幣収納庫の構成を示し、（Ａ）は平面図、（Ｂ）は右側面図である。
【図９】第２の実施の形態による不正行為検知部の構成を示し、（Ａ）は平面図、（Ｂ）は右側面図、（Ｃ）は（Ａ）のＸ−Ｘ矢視断面図である。
【図１０】第３の実施の形態による紙幣収納庫の構成を示し、（Ａ）は平面図、（Ｂ）は右側面図である。
【図１１】第３の実施の形態による不正行為検知部の構成を示し、（Ａ）は平面図、（Ｂ）は右側面図、（Ｃ）は（Ａ）のＸ−Ｘ矢視断面図である。
【発明を実施するための形態】
【００１２】
以下、発明を実施するための形態（以下実施の形態とする）について、図面を用いて詳細に説明する。
【００１３】
［１．第１の実施の形態］
［１−１．紙幣処理装置の外観構成］
図１に示すように、紙幣処理装置１は金融機関の行員（例えば受付窓口員）が操作する行員操作型端末、いわゆるテラーキャッシャーであり、行員の操作に基づいて紙幣の入出金処理を行う。この紙幣処理装置１は、箱型の筐体２の上端部に、入金部３の投入口３Ａ、出金部４の排出口４Ａ、表示部５及び操作部６が設けられている。入金部３は、行員により投入口３Ａから入金紙幣が投入されると、これを１枚ずつ分離して紙幣処理装置１内に取り込む。出金部４は、出金紙幣を集積して、これを排出口４Ａから行員に取り出させる。またこの出金部４には、排出口４Ａを開閉するシャッタ（図示せず）が設けられ、紙幣の排出時に開くようになっている。表示部５は液晶ディスプレイにより構成され、メニュー画面、各種処理の結果画面等を表示する。操作部６は押しボタンにより構成され、紙幣処理装置１に対する操作を受け付ける。
【００１４】
［１−２．紙幣処理装置の内部構成］
図２に示すように、紙幣処理装置１の筐体２内には、上述した入金部３及び出金部４に加えて、鑑別部１０、一時保留部１１、紙幣収納庫１２（紙幣収納庫１２Ａ〜１２Ｅ）、リジェクト庫１３、搬送路１４及び図示しない制御部が設けられており、該制御部が各部を統轄制御する。筐体２内の上部には、入金部３が後側、出金部４が前側となるように前後方向に並んで設けられている。また、出金部４の前方斜め下には一時保留部１１が設けられ、この一時保留部１１より後方で入金部３の後方斜め下には、鑑別部１０が設けられている。
【００１５】
筐体２内の下部には、リジェクト庫１３が最も前側で、その後ろに紙幣収納庫１２Ａ及び１２Ｂ、１２Ｃ、１２Ｄ並びに１２Ｅの順で、紙幣収納庫１２Ａ及び１２Ｂ〜１２Ｅが前後方向に並んで設けられている。紙幣収納庫１２Ａは紙幣収納庫１２Ｂの下側に設けられている。さらに筐体２内には、これら入金部３、出金部４、鑑別部１０、一時保留部１１、紙幣収納庫１２Ａ〜１２Ｅ及びリジェクト庫１３の各部を繋ぐ搬送路１４が設けられている。搬送路１４は、紙幣を短手方向に沿って搬送する。
【００１６】
入金部３は、上面が開口する箱型の収納部３Ｂを有している。この収納部３Ｂの開口の一部が上述した投入口３Ａとなる。この入金部３は、入金取引時に、投入口３Ａから収納部３Ｂ内に投入された入金紙幣を１枚ずつ分離して紙幣処理装置１内に取り込んでいく。出金部４は、上面が開口する箱型の集積部４Ｂを有している。この集積部４Ｂの開口が上述した排出口４Ａとなる。この出金部４は、出金取引時に、紙幣収納庫１２Ａ〜１２Ｅ等から搬送されてくる出金紙幣を集積部４Ｂに集積する。また出金部４には、排出口４Ａを開閉するシャッタ（図示せず）が設けられている。このシャッタは、出金紙幣が集積部４Ｂに集積された後に開くようになっており、このシャッタが開くことで、行員が集積部４Ｂに集積されている出金紙幣を排出口４Ａから取り出すことができる。
【００１７】
鑑別部１０は、搬送路１４を介して１枚ずつ搬送されてくる紙幣の金種、真偽、正損及び走行状態等を鑑別する。この鑑別部１０は、取り扱うことのできる正常紙幣か取り扱うことのできないリジェクト紙幣かをその鑑別結果に基づいて紙幣毎に判定する。一時保留部１１は、入金部３から取り込まれ鑑別部１０により正常紙幣と判定された紙幣を一時的に集積する。一時保留部１１に集積された紙幣は、取引成立後に一時保留部１１から繰り出されて鑑別部１０に搬送され、鑑別部１０により金種が特定された後、紙幣収納庫１２Ａ〜１２Ｅに搬送され収納される。
【００１８】
紙幣収納庫１２Ａ〜１２Ｅは、それぞれ、紙幣を金種毎に収納可能な箱型の収納庫であり、搬送路１４を介して搬送されてくる紙幣を内部に上下方向に重ねて集積する。また紙幣収納庫１２Ａ〜１２Ｅは、紙幣を収納するだけでなく、内部に集積されている紙幣を１枚ずつ搬送路１４に繰り出す。紙幣収納庫１２Ａ〜１２Ｅは、それぞれ個別に紙幣処理装置１から着脱可能な着脱式となっている。紙幣補充時には、補充紙幣が収納された紙幣収納庫１２Ａを保守作業者が紙幣処理装置１にセットする。以下では、紙幣収納庫１２が紙幣処理装置１に装着された状態を装置装着状態とも呼び、紙幣収納庫１２が紙幣処理装置１から外され装着されていない状態を装置未装着状態とも呼ぶ。
【００１９】
リジェクト庫１３は、紙幣を収納可能な箱型の収納庫であり、鑑別部１０によってリジェクト紙幣と判定された紙幣を集積する。リジェクト庫１３は、紙幣処理装置１から着脱可能な着脱式となっている。紙幣回収時には、リジェクト紙幣が収納されたリジェクト庫１３を保守作業者が紙幣処理装置１から取り外すことにより、リジェクト紙幣を回収する。
【００２０】
かかる構成において紙幣処理装置１は、鑑別部１０による紙幣の鑑別結果等をもとに制御部が各部を制御して、紙幣の入金処理及び出金処理を行う。
【００２１】
すなわち紙幣処理装置１は、入金取引時、行員により操作部６を介して入金取引が選択され、さらに投入口３Ａから入金部３に紙幣が投入されると、投入された紙幣を１枚ずつ鑑別部１０に搬送する。ここで紙幣処理装置１は、鑑別部１０により正常紙幣と判定された紙幣については一時保留部１１に搬送して一時的に収納する。一方で紙幣処理装置１は、入金に適さない入金リジェクト紙幣と判定された紙幣については出金部４へ戻して、シャッタを開くことで行員に返却する。その後行員により入金金額が確定されると、紙幣処理装置１は一時保留部１１に収納している紙幣を鑑別部１０に搬送して金種を鑑別し、その金種に応じて、各紙幣収納庫１２Ａ〜１２Ｅへ搬送して保管する。
【００２２】
一方出金取引時、紙幣処理装置１は、行員により操作部６を介し出金取引が選択され出金金額等が入力されると、要求金額に応じて必要な金種毎の紙幣枚数を認識し、この金種毎の紙幣枚数に応じて各紙幣収納庫１２Ａ〜１２Ｅから紙幣を１枚ずつ繰り出して、鑑別部１０に搬送する。ここで紙幣処理装置１は、鑑別部１０により正常紙幣と判定された紙幣については出金部４に搬送する一方で、出金に適さない出金リジェクト紙幣と判定された紙幣については一時保留部１１に搬送して一時的に収納する。そして要求金額分の紙幣が出金部４へ集積されると、紙幣処理装置１は、シャッタを開ける。これにより出金部４内に集積されている紙幣の受け取りが可能な状態となり、行員がこの紙幣を受け取る。その後紙幣処理装置１は、一時保留部１１に収納している出金リジェクト紙幣をリジェクト庫１３へと搬送して保管する。
【００２３】
［１−３．紙幣収納庫の構成］
図３乃至図５に示すように紙幣収納庫１２Ａは、上下方向の長さと左右方向の長さとがほぼ同等であり前後方向の長さが左右方向の長さよりも短い箱型に、樹脂成形により形成されたプラスチックである収納庫筐体２０を有している。収納庫筐体２０は、筐体天板２０Ｕ、筐体底板２０Ｄ、筐体左側板２０Ｌ、筐体右側板２０Ｒ、筐体前面板２０Ｆ及び筐体後面板２０Ｂを有しており、紙幣収納庫１２Ａの内部と外部とを連通し該収納庫筐体２０内部へ外部から紙幣を装填させる開口である装填開口部２２が前面に形成されている。また収納庫筐体２０は、筐体天板２０Ｕの後寄りに、左右方向と平行にスリット状の受渡開口部２４が形成されている。また収納庫筐体２０には、後述する集積繰出機構３６、ステージ３８及び昇降駆動部（図示せず）等の各種機構を収納する空間である収納庫内空間２８が形成されている。筐体前面板２０Ｆは、装填開口部２２の左側において左右方向にある程度の幅を有しており、収納庫扉２６の後述するシリンダー錠３２と対向する箇所には、該シリンダー錠３２のロックプレート３４が嵌り込む孔部が穿設された板状のストライク３０が固定されている。なおそれぞれ図５（Ａ）は筐体天板２０Ｕを、図５（Ｂ）は筐体右側板２０Ｒを図示せず省略している。
【００２４】
収納庫筐体２０には、該収納庫筐体２０と同様に樹脂成形により形成された塑性変形するプラスチックであり、装填開口部２２を覆い片開きする板状の開き扉である収納庫扉２６が、吊元に設けられたヒンジ部を支点として回動するよう開閉可能に設けられている。紙幣収納庫１２Ａは、顧客との間で取引処理が行われる場合や紙幣装填作業が行われない場合、図３に示したように収納庫扉２６を閉じ装填開口部２２を閉鎖することにより、該紙幣収納庫１２Ａ内部の各部や紙幣等を保護する。以下ではこれを閉鎖状態と呼ぶ。一方紙幣収納庫１２Ａは、紙幣処理装置１から取り外された該紙幣収納庫１２Ａに保守作業者により紙幣が装填される紙幣装填作業が行われる場合、図４に示すように収納庫扉２６を開き装填開口部２２を開放することにより、紙幣を装填可能な状態とする。以下ではこれを開放状態とも呼ぶ。ここで、収納庫扉２６において回動する際の支点側（閉鎖状態における右端側）を吊元部とも呼び、回動する側（閉鎖状態における左端側）を戸先部とも呼び、吊元部から戸先部に向かう方向及び戸先部から吊元部に向かう方向を吊元戸先方向Ｄ１とも呼ぶ。収納庫扉２６は、閉鎖状態において装填開口部２２を塞ぐと共に筐体前面板２０Ｆの前面に対向する装填開口部覆い部２６Ｆと、該装填開口部覆い部２６Ｆの戸先部側において該装填開口部覆い部２６Ｆに対し直角に屈曲し閉鎖状態において筐体左側板２０Ｌの一部を覆う筐体左側板覆い部２６Ｌとを有している。収納庫扉２６の装填開口部覆い部２６Ｆと、該装填開口部２２の周囲の収納庫筐体２０である開口縁部２０Ｅとは正面視で重なることにより、装填開口部覆い部２６Ｆは装填開口部２２を覆っている。収納庫扉２６の装填開口部覆い部２６Ｆにおける後面には、後方に向かって突出する図示しないリブが形成されており、該収納庫扉２６の強度を保つと共に、該リブが装填開口部２２に嵌り込んでいる。このように収納庫扉２６は、装填開口部覆い部２６Ｆ及び筐体左側板覆い部２６Ｌを有し平面視でＬ字形状に構成されていることにより、撓みにくくなり強度を保っている。
【００２５】
収納庫扉２６の装填開口部覆い部２６Ｆにおける戸先部側の上端部近傍であり、ストライク３０と対向する箇所には、シリンダー錠３２が固定されている。シリンダー錠３２は、ストライク３０の孔部に嵌合可能なロックプレート３４が後側に固定されている。紙幣収納庫１２Ａは、シリンダー錠３２に所定の鍵が差し込まれ一方向に捻られることにより、ロックプレート３４を一方向に回動させストライク３０の孔部に嵌合させ、収納庫扉２６を施錠する。以下ではこの状態を施錠状態とも呼ぶ。一方紙幣収納庫１２Ａは、シリンダー錠３２に所定の鍵が差し込まれ他方向に捻られることにより、ロックプレート３４を他方向に回動させストライク３０の孔部から外し、収納庫扉２６を解錠する。以下ではこの状態を解錠状態とも呼ぶ。このストライク３０とロックプレート３４との嵌合にはある程度の遊びが設けられており、保守作業者にシリンダー錠３２をスムーズに操作可能にさせる。
【００２６】
収納庫扉２６の装填開口部覆い部２６Ｆにおける後面には、後述する不正行為検知部４４が設けられている。
【００２７】
受渡開口部２４の下方には、図示しないモータにより駆動され、紙幣収納庫１２Ａに搬入された紙幣を集積すると共に、集積されている紙幣を１枚ずつに分離して繰り出す集積繰出機構３６が設けられている。この集積繰出機構３６は、受渡開口部２４の近傍に配置され回転可能なフィードローラ、該フィードローラに対向配置され回転可能なゲートローラ及びステージ３８に載置された紙幣の上面に当接するよう配置され回転可能なピックアップローラ等の種々のローラにより構成される。集積繰出機構３６は、装置未装着状態においてローラの回転をロックさせ、装置装着状態においてローラの回転のロックを解除する。
【００２８】
ステージ３８は、集積繰出機構３６から放出された紙幣ＢＬをその上面上に長手方向を左右方向に、短手方向を前後方向にそれぞれ沿わせた状態で厚さ方向に積層して集積する板状部材であり、左右に沿う長手方向の両端における短手方向（前後方向）のほぼ中央部にステージ支持部３８ｈが設けられている。ステージ３８の左右両外側には、棒状のガイドシャフト４０が上下方向に沿って延設しており、ステージ支持部３８ｈを摺動可能に支持する。このステージ３８は、図示しないモータを駆動源とする昇降駆動部（図示せず）によりステージ移動方向（上下方向）に沿って昇降可能に構成されている。このステージ３８は、紙幣をピックアップローラに押し付けてそれ以上上方へ移動しない位置であるステージ上端位置と、最も下方へ移動した位置であるステージ下端位置との間を移動可能に構成されている。収納庫内空間２８内には、紙幣ＢＬを収納することが可能な空間として、ステージ下端位置におけるステージ３８の上面と、ピックアップローラの下端部との間に紙幣収納空間４２が設定されている。
【００２９】
かかる構成において繰出処理を行う際、紙幣収納庫１２Ａは、ステージ３８を上昇させて紙幣ＢＬをピックアップローラに押し付けて集積繰出機構３６を駆動することにより、受渡開口部２４から紙幣ＢＬを外部へ繰り出す。一方集積処理を行う際、紙幣収納庫１２Ａは、ステージ３８を上昇させて集積繰出機構３６を駆動することにより、受渡開口部２４から紙幣ＢＬを紙幣収納空間４２へ取り込みステージ３８上に重ねて堆積させる。
【００３０】
［１−４．不正行為検知部の構成］
不正行為検知部４４は、収納庫扉２６と樹脂成形により一体に形成された塑性変形するプラスチックであり、収納庫扉２６の装填開口部覆い部２６Ｆの後面における戸先部側端部の下端部（錠非配置部）から、閉鎖状態における後方、すなわち収納庫内空間２８に向かって突出する背面視Ｌ字形状の板状部材である。不正行為検知部４４は、閉鎖状態においてステージ３８の短手方向の一端である前端側と対向するように形成された第１壁としての検知部水平板４４Ｈと、閉鎖状態においてステージ３８の長手方向の一端である左端側と対向するように形成された第２壁としての検知部鉛直板４４Ｖとにより構成されており、閉鎖状態において装填開口部２２の左下側に嵌り込んでいる。
【００３１】
ここで、閉鎖状態において収納庫扉２６の前面から紙幣収納空間４２に向かう方向及び紙幣収納空間４２から収納庫扉２６の前面に向かう方向である前後方向、すなわち装填開口部覆い部２６Ｆに直交する方向を扉厚さ方向Ｄ２とも呼ぶ。さらに、収納庫扉２６においてシリンダー錠３２が配置された上側を錠配置部と、シリンダー錠３２が配置されていない下側を錠非配置部と、錠配置部から錠非配置部に向かう方向及び錠非配置部から錠配置部に向かう方向である上下方向であり吊元戸先方向Ｄ１及び扉厚さ方向Ｄ２に直交する方向を吊元戸先直交方向Ｄ３とも呼ぶ。
【００３２】
検知部水平板４４Ｈは、収納庫扉２６の装填開口部覆い部２６Ｆの後面における下端部において、該装填開口部覆い部２６Ｆの後面から直角に立設し、吊元戸先方向Ｄ１に沿って延びている。検知部水平板４４Ｈは、その高さ、すなわち扉厚さ方向Ｄ２の長さが、収納庫筐体２０内の各種機構に干渉せず、且つ収納庫扉２６の開閉動作に影響しない程度の長さに形成されており、その厚さ、すなわち吊元戸先直交方向Ｄ３の長さが、装填開口部覆い部２６Ｆの厚さとほぼ同等に形成されている。また検知部水平板４４Ｈは、吊元戸先直交方向Ｄ３の位置が、閉鎖状態において筐体底板２０Ｄの上方近傍であり、ステージ下端位置におけるステージ３８の下面よりも下側に配置されている。このように検知部水平板４４Ｈは、ステージ３８の可動範囲の下限よりも下方に配置されることにより、該ステージ３８の昇降動作に干渉しないようになっている。
【００３３】
検知部鉛直板４４Ｖは、検知部水平板４４Ｈの戸先部側端部において、該検知部水平板４４Ｈに対し直角に上方へ屈曲するよう装填開口部覆い部２６Ｆの後面から直角に立設し、吊元戸先直交方向Ｄ３に沿って延びている。検知部鉛直板４４Ｖは、その高さ、すなわち扉厚さ方向Ｄ２の長さが、収納庫筐体２０内の各種機構に干渉せず、且つ収納庫扉２６の開閉動作に影響しない程度の長さに形成されており、その厚さ、すなわち吊元戸先方向Ｄ１の長さが、装填開口部覆い部２６Ｆの厚さとほぼ同等に形成されている。また検知部鉛直板４４Ｖは、吊元戸先方向Ｄ１の位置が、閉鎖状態において筐体前面板２０Ｆの戸先部側であり、ステージ３８の左端部よりも左側に配置されている。このように検知部水平板４４Ｈは、ステージ３８の可動範囲の左方に配置されることにより、該ステージ３８の昇降動作に干渉しないようになっている。
【００３４】
この不正行為検知部４４は、施錠状態の収納庫扉２６の下側が所定の量だけ開くまで該収納庫扉２６と筐体前面板２０Ｆ及び筐体底板２０Ｄとの間の隙間を塞いでいる。すなわち不正行為検知部４４は、施錠状態の収納庫扉２６の下端部が不正にこじ開けられた際に、紙幣収納庫１２外部と紙幣収納空間４２（すなわち紙幣ＢＬ）との間の直線上を塞ぐ位置に配置されている。具体的に不正行為検知部４４は、施錠状態において収納庫扉２６の一部が収納庫筐体２０から離隔した際に、収納庫扉２６における下側と収納庫筐体２０との隙間に検知部水平板４４Ｈを位置させ、収納庫扉２６における戸先部側と収納庫筐体２０との隙間に検知部鉛直板４４Ｖを位置させる。
【００３５】
［１−５．動作及び効果］
以上の構成において、施錠状態において例えば悪意のある保守作業者である不正作業者が図７に示すように強引に収納庫扉２６の下側をこじ開けた場合、紙幣収納空間４２と収納庫筐体２０の外部とを結ぶ直線上に不正行為検知部４４が位置することとなる。このように不正行為検知部４４は、施錠状態で収納庫扉２６の下側がこじ開けられた場合、収納庫筐体２０と収納庫扉２６の装填開口部覆い部２６Ｆとの間の隙間を埋めるように配置されており、外部から紙幣収納空間４２へアクセスされ難くしている。
【００３６】
このとき不正作業者は、工具を装填開口部２２に挿入して紙幣を強引に抜き出そうとすると、不正行為検知部４４を変形又は破壊しないと紙幣に到達できない。このため不正行為が行われると、樹脂製である不正行為検知部４４は塑性変形や破損、白化する等の通常の状態とは変化した状態となる。
【００３７】
ここで、シリンダー錠３２が収納庫扉２６の上側寄りに設けられているため、該シリンダー錠３２に近い収納庫扉２６の上側は、収納庫筐体２０との隙間が開かないよう、収納庫筐体２０に対し強固に固定されている。このため保守作業者が収納庫扉２６の上端部をこじ開けることは困難である。
【００３８】
また、不正行為検知部４４と収納庫筐体２０との前後方向の重なりよりも大きく収納庫扉２６の下側がこじ開けられると、外部から紙幣収納空間４２へアクセスされることは可能であるため、その場合、紙幣が不正に抜き取られる可能性はある。しかしながらその場合、収納庫扉２６の下側が大きくこじ開けられる必要があるため、該収納庫扉２６の変形量も大きくなり、樹脂製である収納庫扉２６が塑性変形や破損、白化する等の通常の状態とは変化した状態となる。このため収納庫扉２６には、不正行為が行われた痕跡が残ることとなる。
【００３９】
このように紙幣収納庫１２Ａは、不正行為が行われた場合、収納庫扉２６又は不正行為検知部４４に明確な痕跡が残るようにしたため、紙幣が抜き取られる不正行為が痕跡を残さずに行われることを防止できる。
【００４０】
また紙幣収納庫１２Ａは、施錠状態において強引に収納庫扉２６の下側がこじ開けられた場合、紙幣収納空間４２と収納庫筐体２０の外部とを結ぶ直線上に不正行為検知部４４が位置するようにしたため、ステージ３８に堆積した紙幣を外部から視認し難くできる。このように紙幣収納庫１２Ａは、該紙幣収納庫１２Ａ内部に紙幣が存在しているか否かを外部から視認し難くできるため、強引に収納庫扉２６をこじ開けても紙幣収納庫１２Ａ内部に紙幣が存在しない可能性があると保守作業者に思わせることができ、不正行為を抑止できる。
【００４１】
ここで、装填開口部２２を小さく形成し、収納庫扉２６の装填開口部覆い部２６Ｆと開口縁部２０Ｅとが正面視で重なる面積を広くすることにより、収納庫筐体２０外部から紙幣収納空間４２へ工具等を挿入し難くすることも考えられる。しかしながらその場合、装填開口部２２が小さくなってしまうため、紙幣が装填され難くなり、作業性が低下してしまう。
【００４２】
これに対し紙幣収納庫１２Ａは、装填開口部２２の大きさよりも収納庫扉２６の装填開口部覆い部２６Ｆの大きさを僅かに大きく形成するようにし、装填開口部２２を大きく形成するようにした。このため紙幣収納庫１２Ａは、紙幣装填時の作業性を確保しつつ、不正行為が行われる可能性は有しながらも、もし不正行為が発生した場合は不正行為が行われたことを検知できる。
【００４３】
また、シリンダー錠３２と同期して動作する金属製の閂を設け、施錠状態において該閂の上端を筐体天板２０Ｕに、下端を筐体底板２０Ｄにそれぞれ嵌合させたり、上下に２個のシリンダー錠を設けたり、収納庫筐体２０及び収納庫扉２６を板金で形成することにより、収納庫扉２６自体の剛性を高め変形しにくくしたり、収納庫筐体２０と収納庫扉２６との隙間を開きにくくしたりすることも考えられる。しかしながらそのような紙幣収納庫の場合、不正行為自体を防ぐ可能性は紙幣収納庫１２Ａよりも高まるものの、構成が複雑化してしまうと共に、重量が増加し軽量化が困難となってしまった。
【００４４】
これに対し紙幣収納庫１２Ａは、樹脂製である収納庫扉２６における上側のみをシリンダー錠３２で収納庫筐体２０に強固に固定しつつ、収納庫扉２６における内側の下端部に樹脂製である不正行為検知部４４を形成するようにした。これにより紙幣収納庫１２Ａは、不正行為が行われたことを不正行為検知部４４により検知できるため、収納庫扉２６に高い剛性をもたせる必要がなくなり、該収納庫扉２６を樹脂製とすることができると共に、該収納庫扉２６がこじ開けられることを完全には防ぐ必要がないため、複雑な閂や複数のシリンダー錠等を設ける必要がない。このため紙幣収納庫１２Ａは、収納庫扉２６の構成が複雑化することを防止し、収納庫筐体２０及び収納庫扉２６の重量の増加を防ぎつつ、不正行為が行われる可能性は有しながらも、もし不正行為が発生した場合は検知できる。
【００４５】
また紙幣収納庫１２Ａは、収納庫扉２６及び不正行為検知部４４に、紙幣の抜き取りといった内部の紙幣への不正なアクセスである不正行為が行われた痕跡が残っていない場合、不正行為は行なわれていないことを保証できる。
【００４６】
また紙幣収納庫１２Ａは、ステージ３８の移動領域外に不正行為検知部４４を配置するようにした。これにより紙幣収納庫１２Ａは、紙幣収納空間４２を従来と同様に保つことができ、紙幣を収納する容量を保つことができる。
【００４７】
また紙幣収納庫１２Ａは、不正行為検知部４４を収納庫扉２６と一体成形するようにした。このため紙幣収納庫１２Ａは、収納庫扉２６を成形する際に不正行為検知部４４を同時に成形できるため、製造工程が複雑化しないようにできると共に、構成が複雑化しないようにできる。
【００４８】
以上の構成によれば紙幣処理装置１は、紙葉状の媒体としての紙幣ＢＬに関する操作を受け付ける操作部６と、内部に紙幣ＢＬを収納する収納空間を有し、外部から紙幣収納空間４２にアクセスするための装填開口部２２が形成された収納庫筐体２０と、装填開口部２２を開放又は閉鎖する収納庫扉２６と、装填開口部２２の開放を規制するシリンダー錠３２と、収納庫扉２６における紙幣収納空間４２側の側面に形成され、シリンダー錠３２が施錠状態のときに収納庫扉２６の一部が収納庫筐体２０から離隔した際、少なくとも収納庫扉２６と収納庫筐体２０との隙間における外部と紙幣収納空間４２との間の直線上に位置する不正行為検知部４４とを設けるようにした。これにより紙幣処理装置１は、施錠状態において収納庫扉２６がこじ開けられた際に、不正行為検知部４４が変形するまでは紙幣収納空間４２に収納された紙幣に外部からアクセスされることを防ぎ、該不正行為検知部４４が変形した場合は不正行為が行われた痕跡を残すことができるため不正行為を抑止できる。かくして紙幣処理装置１は、紙幣収納空間４２に収納された紙幣の抜き取りを防止できる。
【００４９】
［２．第２の実施の形態］
［２−１．紙幣処理装置の構成］
図１及び図２に示すように、第２の実施の形態による紙幣処理装置１０１は、第１の実施の形態による紙幣処理装置１と比べて、紙幣収納庫１１２Ａが紙幣収納庫１２Ａと異なっているものの、それ以外は同様に構成されている。
【００５０】
［２−２．紙幣収納庫の構成］
図５及び図６との対応部分に同一符号を付した図８及び図９に示すように、第２の実施の形態による紙幣収納庫１１２Ａは、第１の実施の形態による紙幣収納庫１２Ａと比べて、不正行為検知部１４４が不正行為検知部４４と異なっているものの、それ以外は同様に構成されている。
【００５１】
［２−３．不正行為検知部の構成］
不正行為検知部１４４は、不正行為検知部４４と比べて、検知部水平板１４４Ｈが検知部水平板４４Ｈと異なっているものの、それ以外は同様に構成されている。
【００５２】
検知部水平板１４４Ｈは、戸先部側において、扉厚さ方向Ｄ２である短手方向に沿う切れ込みである切込４６が、吊元戸先方向Ｄ１である長手方向に等間隔を空けて４本並んで形成されており、吊元戸先方向Ｄ１に分割されている。このため検知部水平板１４４Ｈには、検知部水平板４４Ｈよりも吊元戸先方向Ｄ１の長さが短い板片としての水平板片１４４Ｈ１、１４４Ｈ２及び１４４Ｈ３が吊元部側から戸先部側に向かって並んでいる。
【００５３】
水平板片１４４Ｈ１、１４４Ｈ２及び１４４Ｈ３それぞれにおける根本近傍、すなわち収納庫扉２６側の端部近傍の下面には、それぞれ戸先部側端部から吊元部側端部までに亘って断面三角形状に切り欠かれた切欠溝４８が形成されている。
【００５４】
このように検知部水平板１４４Ｈは、切込４６により吊元戸先方向Ｄ１に分割されていると共に、水平板片１４４Ｈ１、１４４Ｈ２及び１４４Ｈ３それぞれに切欠溝４８が形成されている。このため検知部水平板１４４Ｈは、検知部水平板４４Ｈと比べて、水平板片１４４Ｈ１、１４４Ｈ２及び１４４Ｈ３それぞれが切欠溝４８から折れ易くなっている。これにより、保守作業者が工具を装填開口部２２に挿入して紙幣を強引に抜き出そうとすると、検知部水平板１４４Ｈは容易に折れる。このように紙幣収納庫１１２Ａは、不正行為が行われた場合、不正行為検知部１４４に明確な痕跡がより一層容易に残るようにしたため、紙幣が抜き取られる不正行為が痕跡を残さずに行われることを防止できる。
【００５５】
その他第２の実施の形態による紙幣収納庫１１２Ａは、第１の実施の形態による紙幣収納庫１２Ａとほぼ同様の作用効果を奏する。
【００５６】
［３．第３の実施の形態］
［３−１．紙幣処理装置の構成］
図１及び図２に示すように、第３の実施の形態による紙幣処理装置２０１は、第２の実施の形態による紙幣処理装置１０１と比べて、紙幣収納庫２１２Ａが紙幣収納庫１１２Ａと異なっているものの、それ以外は同様に構成されている。
【００５７】
［３−２．紙幣収納庫の構成］
図８及び図９との対応部分に同一符号を付した図１０及び図１１に示すように、第３の実施の形態による紙幣収納庫２１２Ａは、第２の実施の形態による紙幣収納庫１１２Ａと比べて、不正行為検知部２４４が不正行為検知部１４４と異なっており、サイドガイド５０が追加されているものの、それ以外は同様に構成されている。
【００５８】
ステージ３８の左右両外側における、ガイドシャフト４０及びステージ支持部３８ｈの前方には、樹脂製であり板状のサイドガイド５０が上下方向に沿って延設している。媒体位置ガイドとしてのサイドガイド５０は、紙幣収納庫２１２Ａが対応する紙幣の長手方向の長さよりも僅かに大きい間隔を空けて対向するよう配置されることにより、紙幣ＢＬの左右方向の位置を規制している。この紙幣収納庫２１２Ａは、該紙幣収納庫２１２Ａに収納される紙幣のサイズに合わせて、サイドガイド５０自体が交換されるか、又はサイドガイド５０の位置が変更される。
【００５９】
［３−３．不正行為検知部の構成］
不正行為検知部２４４は、不正行為検知部１４４と比べて、検知部水平板２４４Ｈが検知部水平板１４４Ｈと異なっているものの、それ以外は同様に構成されている。
【００６０】
検知部水平板２４４Ｈは、戸先部側において、扉厚さ方向Ｄ２に沿う切れ込みである切込４６が、吊元戸先方向Ｄ１に等間隔を空けて２本並んで形成されており、吊元戸先方向Ｄ１に分割されている。このため検知部水平板２４４Ｈには、検知部水平板１４４Ｈと同等の吊元戸先方向Ｄ１の長さの水平板片２４４Ｈ１及び２４４Ｈ２が吊元部側から戸先部側に向かって並んでいる。また、検知部水平板２４４Ｈにおいてサイドガイド５０と干渉する位置、すなわち検知部水平板１４４Ｈの水平板片１４４Ｈ３に対応する位置には、水平板片が形成されておらず、切欠部２４４Ｈｃとなっている。このため紙幣収納庫２１２Ａは、検知部水平板２４４Ｈがサイドガイド５０と干渉しないように、収納庫扉２６を閉鎖状態にする。
【００６１】
実際にはこの不正行為検知部２４４は、水平板片２４４Ｈ１、２４４Ｈ２及び図示しない２４４Ｈ３が取り付いた状態で製造され、該紙幣収納庫２１２Ａに収納される紙幣のサイズに合わせたサイドガイド５０が装着される際に、該サイドガイド５０と干渉する水平板片２４４Ｈ１、２４４Ｈ２又は図示しない２４４Ｈ３が折り取られる。不正行為検知部２４４においては、図示しない水平板片２４４Ｈ３が折り取られ該水平板片２４４Ｈ３に対応する箇所が切欠部２４４Ｈｃとなっている。
【００６２】
水平板片２４４Ｈ１及び２４４Ｈ２それぞれにおける根本近傍、すなわち収納庫扉２６側の端部近傍の下面から、先端側の端部までには、水平板片２４４Ｈ１及び２４４Ｈ２それぞれの根本である根本部５２よりも肉厚が薄い薄肉部５４が形成されている。このため根本部５２と薄肉部５４との境目には、戸先部側端部から吊元部側端部までに亘って根本部５２と薄肉部５４との間の段差となる段差部５６が形成されている。
【００６３】
このように検知部水平板２４４Ｈは、切込４６により吊元戸先方向Ｄ１に分割されていると共に、水平板片２４４Ｈ１及び２４４Ｈ２それぞれに段差部５６が形成されている。このため検知部水平板２４４Ｈは、検知部水平板４４Ｈと比べて、水平板片２４４Ｈ１及び２４４Ｈ２それぞれが段差部５６から折れ易くなっている。これにより、保守作業者が工具を装填開口部２２に挿入して紙幣を強引に抜き出そうとすると、検知部水平板２４４Ｈは容易に折れる。このように紙幣収納庫２１２Ａは、不正行為が行われた場合、不正行為検知部２４４に明確な痕跡がより一層容易に残るようにしたため、紙幣が抜き取られる不正行為が痕跡を残さずに行われることを防止できる。
【００６４】
また紙幣収納庫２１２Ａは、不正行為検知部２４４が成形された１種類の収納庫扉２６が用意されるだけで、該紙幣収納庫２１２Ａに収納される紙幣のサイズに合わせたサイドガイド５０が装着される際に、該サイドガイド５０と干渉する水平板片２４４Ｈ１、２４４Ｈ２又は図示しない２４４Ｈ３が折り取られることにより、サイドガイド５０の位置及び形状に応じた不正行為検知部２４４が成形された複数種類の収納庫扉を用意する必要なく、収納庫扉を共用できる。
【００６５】
また切欠部２４４Ｈｃにはサイドガイド５０が入り込んでいるため、紙幣収納庫２１２Ａは、収納庫筐体２０の外部から紙幣収納空間４２へ切欠部２４４Ｈｃを介し不正にアクセスされようとした場合、該サイドガイド５０により不正なアクセスを防止することができる。
【００６６】
その他第３の実施の形態による紙幣収納庫２１２Ａは、第２の実施の形態による紙幣収納庫１１２Ａとほぼ同様の作用効果を奏する。
【００６７】
［４．他の実施の形態］
なお上述した第２の実施の形態においては切欠溝４８を水平板片１４４Ｈ１、１４４Ｈ２及び１４４Ｈ３に設け、第３の実施の形態においては段差部５６を水平板片２４４Ｈ１及び２４４Ｈ２に設けることにより、該切欠溝４８及び該段差部５６から水平板片１４４Ｈ１、１４４Ｈ２及び１４４Ｈ３又は水平板片２４４Ｈ１及び２４４Ｈ２を折り曲がり易くする場合について述べた。本発明はこれに限らず、水平板片１４４Ｈ１、１４４Ｈ２及び１４４Ｈ３と水平板片２４４Ｈ１及び２４４Ｈ２とにおいて、肉厚が周囲と薄くなる種々の形状である変形部を設けても良い。
【００６８】
また上述した第２の実施の形態においては、検知部水平板１４４Ｈを水平板片１４４Ｈ１、１４４Ｈ２及び１４４Ｈ３の３個に分割する場合について述べた。本発明はこれに限らず、２個又は４個以上の任意の個数の水平板片に分割して良い。第３の実施の形態においても同様である。
【００６９】
さらに上述した第２の実施の形態においては、検知部水平板１４４Ｈに切込４６を設け分割し切欠溝４８を設ける場合について述べた。本発明はこれに限らず、検知部鉛直板４４Ｖに切込４６及び切欠溝４８を設けても良い。第３の実施の形態においても同様である。
【００７０】
さらに上述した第１の実施の形態においては、不正行為検知部４４において検知部水平板４４Ｈと検知部鉛直板４４Ｖとが物理的に直接接続されている場合について述べた。本発明はこれに限らず、検知部水平板４４Ｈと検知部鉛直板４４Ｖとが物理的に直接接続されておらず、分離していても良い。第２及び第３の実施の形態においても同様である。
【００７１】
さらに上述した第１の実施の形態においては、不正行為検知部４４に検知部水平板４４Ｈと検知部鉛直板４４Ｖとの両方を設ける場合について述べた。本発明はこれに限らず、検知部水平板４４Ｈ又は検知部鉛直板４４Ｖの何れかを省略しても良い。第２及び第３の実施の形態においても同様である。
【００７２】
さらに上述した第１の実施の形態においては、不正行為検知部４４を収納庫扉２６と一体成形する場合について述べた。本発明はこれに限らず、不正行為検知部４４を収納庫扉２６と別個成形しても良い。その場合であっても、不正行為が行われた際に不正行為検知部４４が変形すれば良い。第２及び第３の実施の形態においても同様である。
【００７３】
さらに上述した第１の実施の形態においては、不正行為検知部４４を樹脂製とする場合について述べた。本発明はこれに限らず、不正行為検知部４４を他の種々の材質で形成して良い。その場合、不正行為が行われ強い力が加わった際に形状が変形又は破壊し、力が加わらなくなった際には元の形状に戻らない材質であることが望ましい。第２及び第３の実施の形態においても同様である。
【００７４】
さらに上述した第１の実施の形態においては、不正行為検知部４４を収納庫扉２６の下端部のみに設ける場合について述べた。本発明はこれに限らず、不正行為検知部４４を収納庫扉２６の下端部と上端部とに設けても良い。第２及び第３の実施の形態においても同様である。
【００７５】
さらに上述した第１の実施の形態においては、不正行為検知部４４を筐体前面板２０Ｆから直角に立設させる場合について述べた。本発明はこれに限らず、不正行為検知部４４を筐体前面板２０Ｆから種々の角度で立設させて良い。第２及び第３の実施の形態においても同様である。
【００７６】
さらに上述した第１の実施の形態においては、シリンダー錠３２を収納庫扉２６の上側寄りに、不正行為検知部４４を収納庫扉２６の下端部に設ける場合について述べた。本発明はこれに限らず、シリンダー錠３２を収納庫扉２６の下側寄りに、不正行為検知部４４を収納庫扉２６の上端部に設けても良い。第２及び第３の実施の形態においても同様である。
【００７７】
さらに、収納庫扉２６だけでなく、筐体前面板２０Ｆ等、収納庫筐体２０側に不正行為検知部を設けても良い。
【００７８】
さらに上述した実施の形態においては、紙幣の長手方向を左右方向に、短手方向を前後方向にそれぞれ沿わせた状態で紙幣を収納する紙幣収納庫１２Ａ、１１２Ａ及び２１２Ａに本発明を適用する場合について述べた。本発明はこれに限らず、短手方向を左右方向に、長手方向を前後方向にそれぞれ沿わせた状態で収納する紙幣収納庫に本発明を適用しても良い。
【００７９】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００８０】
さらに上述した実施の形態においては、現金を処理する紙幣処理装置１、１０１及び２０１において、媒体としての紙幣ＢＬを収納する紙幣収納庫に本発明を適用する場合について述べた。本発明はこれに限らず、例えば債権、証書、商品券、金券や入場券等のような薄い紙状の媒体を収納する種々の装置に適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【００８１】
さらに上述した実施の形態においては、操作部としての操作部６と、筐体としての収納庫筐体２０と、扉としての収納庫扉２６と、錠部としてのシリンダー錠３２と、不正行為検知部としての不正行為検知部４４、１４４及び２４４とによって、媒体処理装置としての紙幣処理装置１、１０１及び２０１を構成する場合について述べた。本発明はこれに限らず、その他種々の構成でなる操作部と、筐体と、扉と、錠部と、不正行為検知部とによって、媒体処理装置を構成しても良い。
【産業上の利用可能性】
【００８２】
本発明は、紙幣等の紙状の媒体を収納する種々の装置でも利用できる。
【符号の説明】
【００８３】
１……紙幣処理装置、２……筐体、３……入金部、４……出金部、５……表示部、６……操作部、１０……鑑別部、１１……一時保留部、１２、１１２、２１２……紙幣収納庫、１３……リジェクト庫、１４……搬送路、２０……収納庫筐体、２０Ｕ……筐体天板、２０Ｄ……筐体底板、２０Ｌ……筐体左側板、２０Ｒ……筐体右側板、２０Ｆ……筐体前面板、２０Ｂ……筐体後面板、２０Ｅ……開口縁部、２２……装填開口部、２４……受渡開口部、２６……収納庫扉、２６Ｆ……装填開口部覆い部、２６Ｌ……筐体左側板覆い部、２８……収納庫内空間、３０……ストライク、３２……シリンダー錠、３４……ロックプレート、３６……集積繰出機構、３８……ステージ、３８ｈ……ステージ支持部、４０……ガイドシャフト、４２……紙幣収納空間、４４、１４４、２４４……不正行為検知部、４４Ｈ、１４４Ｈ、２４４Ｈ……検知部水平板、４４Ｖ……検知部鉛直板、１４４Ｈ１、１４４Ｈ２、１４４Ｈ３、２４４Ｈ１、２４４Ｈ２……水平板片、２４４Ｈｃ……切欠部、４６……切込、４８……切欠溝、５０……サイドガイド、５２……根本部、５４……薄肉部、５６……段差部、ＢＬ……紙幣、Ｄ１……吊元戸先方向、Ｄ２……扉厚さ方向、Ｄ３……吊元戸先直交方向。
【図１】
0006493008.tif 000002
【図２】
0006493008.tif 000003
【図３】
0006493008.tif 000004
【図４】
0006493008.tif 000005
【図５】
0006493008.tif 000006
【図６】
0006493008.tif 000007
【図７】
0006493008.tif 000008
【図８】
0006493008.tif 000009
【図９】
0006493008.tif 000010
【図１０】
0006493008.tif 000011
【図１１】
0006493008.tif 000012